(57)【要約】【課題】漏れを防止し得る開口端の閉鎖構造及びこれを用いたシート状体からなる容器の提供。【解決手段】開口端に設けられた内側フラップ７２，７６と外側フラップ７４との組み合わせにより閉鎖構造が構成されたものであり、内側フラップ７２，７６に設けられた低位部７２ａ，７６ａと高位部７２ｂ，７６ｂとの間には段差が存在し、この段差の少なくとも一部には、フラップ表面に、屈曲あるいは湾曲する線分として現れた迂回部７２ｃ，７６ｃが形成されたものであり、内側フラップの低位部７２ａ，７６ａに重ねられる外側フラップ７４の縁辺の一部は、内側フラップの低位部７２ａ，７６ａに重なり合う重なり辺７４ａとされ、この重なり辺７４ａは、内側フラップ７２，７６と外側フラップ７４とが重ね合わされた際に、少なくとも、上記内側フラップ７２，７６の段差のうち、上記の迂回部７２ｃ，７６ｃと合致することを特徴とする開口端の閉鎖構造を提供する。【選択図】          図２
2007062827.tif 000002
【特許請求の範囲】
【請求項１】
開口端の縁辺（Ｌ）に設けられた、シート状体であるフラップ（７１〜７８）が複数重ね合わされることにより、開口端の閉鎖がなされるものであって、
これらのフラップ（７１〜７８）のうち少なくとも一部である、互いに重なり合う関係にある内側フラップ（７１，７２，７５，７６）と外側フラップ（７３，７４）との２枚を１組とした組み合わせにより、閉鎖構造が構成されたものであり、
上記内側フラップ（７１，７２，７５，７６）は低位部（７１ａ，７２ａ，７５ａ，７６ａ）と高位部（７１ｂ，７２ｂ，７５ｂ，７６ｂ）とを備え、上記外側フラップ（７３，７４）は、内側フラップの低位部（７１ａ，７２ａ，７５ａ，７６ａ）に重ねられるものであって、この低位部（７１ａ，７２ａ，７５ａ，７６ａ）と高位部（７１ｂ，７２ｂ，７５ｂ，７６ｂ）との間には段差が存在し、
この段差の少なくとも一部には、内側フラップ（７１，７２，７５，７６）の表面に、屈曲あるいは湾曲する線分として現れた迂回部（７１ｃ，７２ｃ，７５ｃ，７６ｃ）が形成されたものであり、
外側フラップ（７３，７４）の縁辺の一部は、内側フラップの低位部（７１ａ，７２ａ，７５ａ，７６ａ）に重なり合う、重なり辺（７３ａ，７４ａ）とされ、
この重なり辺（７３ａ，７４ａ）は、内側フラップ（７１，７２，７５，７６）と外側フラップ（７３，７４）とが重ね合わされた際に、少なくとも、上記内側フラップ（７１，７２，７５，７６）の段差のうち、上記の迂回部（７１ｃ，７２ｃ，７５ｃ，７６ｃ）と合致することを特徴とする開口端の閉鎖構造。
【請求項２】
開口端の形状が四角形とされ、２枚の内側フラップ（７１，７５／７２，７６）、１枚の外側フラップ（７３／７４）、１枚の最外側フラップ（７７／７８）の４枚のフラップを備え、
上記の内側フラップ（７１，７５／７２，７６）は、開口端の、対向する２つの縁辺（Ｌａ，Ｌｃ）に設けられたものであり、
上記の外側フラップ（７３／７４）は、開口端の縁辺（Ｌ）のうちで、上記内側フラップ（７１，７５／７２，７６）の設けられた縁辺（Ｌａ，Ｌｃ）に直交する縁辺の一方側（Ｌｂ）に設けられたものであり、
最外側フラップ（７７／７８）は、開口端の縁辺（Ｌ）のうちで、上記内側フラップ（７１，７５／７２，７６）の設けられた縁辺（Ｌａ，Ｌｃ）に直交する縁辺の他方側（Ｌｄ）に設けられたものであり、
これにより、２枚の内側フラップ（７１，７５／７２，７６）の一部を覆うように外側フラップ（７３／７４）が重ねられ、更に、その状態の内側フラップ（７１，７５／７２，７６）と外側フラップ（７３／７４）とを覆うように最外側フラップ（７７／７８）が重ねられて、開口端が閉鎖されることを特徴とする、請求項１に記載の開口端の閉鎖構造。
【請求項３】
内側フラップの迂回部（７１ｃ，７５ｃ／７２ｃ，７６ｃ）が、内側フラップ（７１，７５／７２，７６）の設けられた開口端の縁辺（Ｌ）に対して直交する線分として内側フラップ（７１，７５／７２，７６）の表面に現れた第１部分（７１ｃ１，７５ｃ１／７２ｃ１，７６ｃ１）と、
上記の第１部分（７１ｃ１，７５ｃ１／７２ｃ１，７６ｃ１）に連続するものであり、上記開口端の縁辺（Ｌ）に平行な線分として内側フラップ（７１，７５／７２，７６）の表面に現れた第２部分（７１ｃ２，７５ｃ２／７２ｃ２，７６ｃ２）と、
上記の第２部分（７１ｃ２，７５ｃ２／７２ｃ２，７６ｃ２）に連続するものであり、上記の第１部分（７１ｃ１，７５ｃ１／７２ｃ１，７６ｃ１）と平行な線分として内側フラップ（７１，７５／７２，７６）の表面に現れた第３部分（７１ｃ３，７５ｃ３／７２ｃ３，７６ｃ３）とを有し、
外側フラップの重なり辺（７３ａ，７４ａ）が、上記の第１〜第３部分に合致する形状とされたことを特徴とする、請求項２に記載の開口端の閉鎖構造。
【請求項４】
上記内側フラップ（７１，７５／７２，７６）の段差が、内側フラップの表面がプレスされることによって形成されたことを特徴とする、請求項１〜３のいずれかに記載の開口端の閉鎖構造。
【請求項５】
上記内側フラップ（７１，７５／７２，７６）の段差が、内側フラップの表面に、内側フラップの低位部（７１ａ，７５ａ／７２ａ，７６ａ）を構成するシート状体とは別のシート状体（７１ｚ，７２ｚ）が重ねられて形成されたことを特徴とする、請求項１〜３のいずれかに記載の開口端の閉鎖構造。
【請求項６】
容器本体部（１０ａ）と、この容器本体部の表面側に重ねられてその一部が接着された被覆部（１０ｂ）とを備え、
容器本体部（１０ａ）には、上記請求項１〜５のいずれかに記載された開口端の閉鎖構造が用いられた側面部（１０ｃ）を備え、
被覆部（１０ｂ）は、容器本体部（１０ａ）と接着される残存部（９２）と、
被収納物を取り出すための開口部を形成するために、残存部（９２）から分離される分離部（９３）とを備え、
分離部（９３）は、折り目線（９８）を介して区分された分離部本体と折り曲げ片（９５）とを備え、
折り曲げ片（９５）は、上記折り目線（９８）から折り曲げて分離部本体と重ねた状態で分離部本体からはみ出す係止部分（９６）を備え、分離部本体からはみ出した係止部分（９６）により分離部（９３）の係止をなすことを特徴とする、シート状体からなる容器。
【発明の詳細な説明】
【技術分野】
【０００１】
本願発明は、特に、粉末状の被収納物のために適した、紙などのシート状体を材料として構成された容器の開口端の閉鎖構造の改良に関するものである。
【背景技術】
【０００２】
【特許文献１】特開２００４−１２３１８６号公報
【０００３】
従来より、粉末洗剤等、粉末状の被収納物のための容器として、紙などのシート状体を材料として構成された直方体状のものが広く用いられている。
【０００４】
これは、シート状体により形成されたフラップ部を折り込むことにより、直方体状の箱体を形成するものである。特に、側面や底面の開口端は、開口端の縁辺に設けられたフラップが重ね合わされたことにより、閉鎖される。
【０００５】
ここで、容器のコーナー部からの被収納物の漏れを防止する構造として、特許文献１に記載されたものがある。これは、ハーフカットにより、コーナー部に水掻き状のコーナーフィンを形成したものであり、このコーナーフィンが折り込まれてコーナー部の隙間を埋める。
【発明の開示】
【発明が解決しようとする課題】
【０００６】
しかしながら、この特許文献１に記載された発明は、コーナー部からの漏れを防止するためのものであって、側面や底面からの漏れは考慮されていなかった。
つまり、各フラップの貼り合わせ部分において、一方のフラップと、この一方のフラップに重ね合わされた隙間（図５（Ｂ）上においてハッチングを付した部分）ができ、その隙間を伝って、容器を保持する角度によっては、被収納物が漏れ出る可能性があった。
【０００７】
本願発明はこのことに鑑み、漏れを防止し得る開口端の閉鎖構造、及びこれを用いたシート状体からなる容器を提供することを課題とする。
【課題を解決するための手段】
【０００８】
上記課題を解決するために、本願の請求項１に記載の発明は、開口端の縁辺Ｌに設けられた、シート状体であるフラップ７１〜７８が複数重ね合わされることにより、開口端の閉鎖がなされるものであって、これらのフラップ７１〜７８のうち少なくとも一部である、互いに重なり合う関係にある内側フラップ７１，７２，７５，７６と外側フラップ７３，７４との２枚を１組とした組み合わせにより、閉鎖構造が構成されたものであり、上記内側フラップ７１，７２，７５，７６は低位部７１ａ，７２ａ，７５ａ，７６ａと高位部７１ｂ，７２ｂ，７５ｂ，７６ｂとを備え、上記外側フラップ７３，７４は、内側フラップの低位部７１ａ，７２ａ，７５ａ，７６ａに重ねられるものであって、この低位部７１ａ，７２ａ，７５ａ，７６ａと高位部７１ｂ，７２ｂ，７５ｂ，７６ｂとの間には段差が存在し、この段差の少なくとも一部には、内側フラップ７１，７２，７５，７６の表面に、屈曲あるいは湾曲する線分として現れた迂回部７１ｃ，７２ｃ，７５ｃ，７６ｃが形成されたものであり、外側フラップ７３，７４の縁辺の一部は、内側フラップの低位部７１ａ，７２ａ，７５ａ，７６ａに重なり合う、重なり辺７３ａ，７４ａとされ、この重なり辺７３ａ，７４ａは、内側フラップ７１，７２，７５，７６と外側フラップ７３，７４とが重ね合わされた際に、少なくとも、上記内側フラップ７１，７２，７５，７６の段差のうち、上記の迂回部７１ｃ，７２ｃ，７５ｃ，７６ｃと合致することを特徴とする開口端の閉鎖構造を提供する。
【０００９】
また、本願の請求項２に記載の発明は、開口端の形状が四角形とされ、２枚の内側フラップ７１，７５／７２，７６、１枚の外側フラップ７３／７４、１枚の最外側フラップ７７／７８の４枚のフラップを備え、上記の内側フラップ７１，７５／７２，７６は、開口端の、対向する２つの縁辺Ｌａ，Ｌｃに設けられたものであり、上記の外側フラップ７３／７４は、開口端の縁辺Ｌのうちで、上記内側フラップ７１，７５／７２，７６の設けられた縁辺Ｌａ，Ｌｃに直交する縁辺の一方側Ｌｂに設けられたものであり、最外側フラップ７７／７８は、開口端の縁辺Ｌのうちで、上記内側フラップ７１，７５／７２，７６の設けられた縁辺Ｌａ，Ｌｃに直交する縁辺の他方側Ｌｄに設けられたものであり、これにより、２枚の内側フラップ７１，７５／７２，７６の一部を覆うように外側フラップ７３／７４が重ねられ、更に、その状態の内側フラップ７１，７５／７２，７６と外側フラップ７３／７４とを覆うように最外側フラップ７７／７８が重ねられて、開口端が閉鎖されることを特徴とする、請求項１に記載の開口端の閉鎖構造を提供する。
【００１０】
また、本願の請求項３に記載の発明は、内側フラップの迂回部７１ｃ，７５ｃ／７２ｃ，７６ｃが、内側フラップ７１，７５／７２，７６の設けられた開口端の縁辺Ｌに対して直交する線分として内側フラップ７１，７５／７２，７６の表面に現れた第１部分７１ｃ１，７５ｃ１／７２ｃ１，７６ｃ１と、上記の第１部分７１ｃ１，７５ｃ１／７２ｃ１，７６ｃ１に連続するものであり、上記開口端の縁辺Ｌに平行な線分として内側フラップ７１，７５／７２，７６の表面に現れた第２部分７１ｃ２，７５ｃ２／７２ｃ２，７６ｃ２と、上記の第２部分７１ｃ２，７５ｃ２／７２ｃ２，７６ｃ２に連続するものであり、上記の第１部分７１ｃ１，７５ｃ１／７２ｃ１，７６ｃ１と平行な線分として内側フラップ７１，７５／７２，７６の表面に現れた第３部分７１ｃ３，７５ｃ３／７２ｃ３，７６ｃ３とを有し、外側フラップの重なり辺７３ａ，７４ａが、上記の第１〜第３部分に合致する形状とされたことを特徴とする、請求項２に記載の開口端の閉鎖構造を提供する。
【００１１】
また、本願の請求項４に記載の発明は、上記内側フラップ７１，７５／７２，７６の段差が、内側フラップの表面がプレスされることによって形成されたことを特徴とする、請求項１〜３のいずれかに記載の開口端の閉鎖構造を提供する。
【００１２】
また、本願の請求項５に記載の発明は、上記内側フラップ７１，７５／７２，７６の段差が、内側フラップの表面に、内側フラップの低位部７１ａ，７５ａ／７２ａ，７６ａを構成するシート状体とは別のシート状体７１ｚ，７２ｚが重ねられて形成されたことを特徴とする、請求項１〜３のいずれかに記載の開口端の閉鎖構造を提供する。
【００１３】
また、本願の請求項６に記載の発明は、容器本体部１０ａと、この容器本体部の表面側に重ねられてその一部が接着された被覆部１０ｂとを備え、容器本体部１０ａには、上記請求項１〜５のいずれかに記載された開口端の閉鎖構造が用いられた側面部１０ｃを備え、被覆部１０ｂは、容器本体部１０ａと接着される残存部９２と、被収納物を取り出すための開口部を形成するために、残存部９２から分離される分離部９３とを備え、分離部９３は、折り目線９８を介して区分された分離部本体と折り曲げ片９５とを備え、折り曲げ片９５は、上記折り目線９８から折り曲げて分離部本体と重ねた状態で分離部本体からはみ出す係止部分９６を備え、分離部本体からはみ出した係止部分９６により分離部９３の係止をなすことを特徴とする、シート状体からなる容器を提供する。
【発明の効果】
【００１４】
本願の請求項１または２に記載の発明は、内側フラップ７１，７２，７５，７６の低位部７１ａ，７２ａ，７５ａ，７６ａと高位部７１ｂ，７２ｂ，７５ｂ，７６ｂとの間に段差が存在し、この段差の少なくとも一部には、内側フラップ７１，７２，７５，７６の表面に、屈曲あるいは湾曲する線分として現れた迂回部７１ｃ，７２ｃ，７５ｃ，７６ｃが形成されたものであり、外側フラップ７３，７４の縁辺の一部である重なり辺７３ａ，７４ａが、内側フラップ７１，７２，７５，７６と外側フラップ７３，７４とが重ね合わされた際に、少なくとも、上記内側フラップ７１，７２，７５，７６の段差のうち、上記の迂回部７１ｃ，７２ｃ，７５ｃ，７６ｃと合致することにより、この迂回部７１ｃ，７２ｃ，７５ｃ，７６ｃによって、開口端の内側部分から、当該部分に存在する物質が漏れ出さないようにでき、漏れを防止し得る開口端の閉鎖構造を提供することができたものである。
【００１５】
また、本願の請求項３に記載の発明は、内側フラップの迂回部７１ｃ，７５ｃ／７２ｃ，７６ｃが、内側フラップ７１，７５／７２，７６の設けられた開口端の縁辺Ｌに対して直交する線分として内側フラップ７１，７５／７２，７６の表面に現れた第１部分７１ｃ１，７５ｃ１／７２ｃ１，７６ｃ１と、上記の第１部分７１ｃ１，７５ｃ１／７２ｃ１，７６ｃ１に連続するものであり、上記開口端の縁辺Ｌに平行な線分として内側フラップ７１，７５／７２，７６の表面に現れた第２部分７１ｃ２，７５ｃ２／７２ｃ２，７６ｃ２と、上記の第２部分７１ｃ２，７５ｃ２／７２ｃ２，７６ｃ２に連続するものであり、上記の第１部分７１ｃ１，７５ｃ１／７２ｃ１，７６ｃ１と平行な線分として内側フラップ７１，７５／７２，７６の表面に現れた第３部分７１ｃ３，７５ｃ３／７２ｃ３，７６ｃ３とを有し、外側フラップの重なり辺７３ａ，７４ａが、上記の第１〜第３部分に合致する形状とされたことにより、第２部分７１ｃ２，７５ｃ２／７２ｃ２，７６ｃ２及び、これに合致する重なり辺７３ａ，７４ａの一部から形成された屈曲部が、開口端の内側部分に存在する物質を堰き止めることができ、漏れを防止し得る開口端の閉鎖構造を提供することができたものである。
【００１６】
また、本願の請求項４に記載の発明は、上記請求項１〜３のいずれかに記載の発明の効果に加え、内側フラップ７１，７５／７２，７６の段差がプレスにより形成されたことから、比較的簡易な手段で漏れを防止し得たものである。
【００１７】
また、本願の請求項５に記載の発明は、上記請求項１〜３のいずれかに記載の発明の効果に加え、内側フラップ７１，７５／７２，７６の段差が、内側フラップの表面に、内側フラップの低位部７１ａ，７５ａ／７２ａ，７６ａを構成するシート状体とは別のシート状体７１ｚ，７２ｚが重ねられて形成されたことから、比較的簡易な手段で漏れを防止し得たものである。
【００１８】
また、本願の請求項６に記載の発明は、上記請求項１〜５のいずれかに記載の発明に係る開口端の閉鎖構造が用いられた側面部１０ｃを備えたことにより、側面部１０ｃからの漏れを防止し得る、シート状体からなる容器を提供することができたものである。
【発明を実施するための最良の形態】
【００１９】
以下、図面に基づき本願発明の実施の形態を、紙製容器を例にとって説明する。
図１は本願発明の第１の実施の形態に係る紙製容器の展開図であり、図２〜図３は同紙製容器の、開口端が閉鎖される様子を順を追って示した斜視図であり、図４は同紙製容器の開口端が閉鎖された状態の斜視図であり、図５は右下面フラップの迂回部及び右前面フラップの重なり辺を示す要部拡大図である。また、図７は同紙製容器の開蓋状態の斜視図、図８は同紙製容器の蓋体の係止過程を示す斜視図、図９は図８の要部拡大図、図１０は同紙製容器の閉蓋状態の斜視図、図１１は図１０の VII−VII 線に沿う断面を示すもので、（Ａ）は開蓋時の断面図、（Ｂ）は閉蓋時の断面図である。なお、本願の各図において、特別な断りがない限り、破線はミシン目を示し、２点鎖線は折り目線及び段差を示す。また、本願の各説明において、特別な断りがない限り、上下前後左右は相対的な位置関係を示すに止まり、絶対的な位置を示すものではない。
【００２０】
この実施の形態に係る紙製容器は、全体が６面体をなすもので、粉末洗剤などの微細な粒子を収納するのに特に適した容器であるが、被収納物は適宜変更して実施し得る。また容器の全体形状についても、６面体の他、４面体、８面体など適宜変更し得る。
また、容器の材質は、本例のような紙製に限られたものではなく、シート状体であれば、樹脂などからなるものであっても良い。ただし、樹脂製シートを用いた場合は、紙とは異なり層間剥離をさせることができないためにハーフカットは採用できず、シート状体の切断はミシン目によって単純に２分割されるものとなる。
【００２１】
この容器は、図１に示すように、上面部３１、前面部４１、下面部５１、後面部６１、上被覆部１１、前被覆部２１が折り目線を介して連設されている。上面部３１、前面部４１、下面部５１、後面部６１の左右両側には、それぞれ左上面フラップ７１、右上面フラップ７２、左前面フラップ７３、右前面フラップ７４、左下面フラップ７５、右下面フラップ７６、左後面フラップ７７、右後面フラップ７８が折り目線Ｌを介して連設されており、これらで容器本体部１０ａが形成される（図２参照）。これらの各部は、折り目線Ｌから９０度に折り曲げられることによって、直方体が形成される。その際、左上面フラップ７１、左前面フラップ７３、左下面フラップ７５、左後面フラップ７７は互いに糊付けされて、容器の左側における長方形状の開口端の閉鎖がなされ、側面部１０ｃのうち左側面部が形成される。同じく、右上面フラップ７２、右前面フラップ７４、右下面フラップ７６、右後面フラップ７８は互いに糊付けされて、容器の右側における長方形状の開口端の閉鎖がなされ、側面部１０ｃのうち右側面部が形成される。なお、本願では、糊付けとは、接着と同義語として使用し、両面接着テープ若しくは片面接着テープなどでの接着も、糊付けに含まれるものとする。
【００２２】
上記の上被覆部１１と前被覆部２１とは、全体で被覆部１０ｂを形成するもので、被覆部１０ｂは容器本体部１０ａの表面側に重ねられて糊付けされる。上被覆部１１は上面部３１の表面に重ねられて略全面若しくは部分的に接着され、前被覆部２１は前面部４１の表面に重ねられて部分的に接着される。これらの接着箇所は後述する。
【００２３】
なお、本例の容器においては、下面部５１と前面部４１の一部とに、図１に示すように、凹条である押罫５２が形成されている。容器を廃棄する際には、この押罫５２の形成された部分で各部５１，４１を折り曲げることにより、容器をコンパクトに折り畳むことが可能である。なお、この押罫５２の形成は必須のものではなく、省略しても良い。また、押罫５２の形態は図示したものに限られるものではなく、容器を折り畳みやすくするためのものであれば、ミシン目など、種々の形態での実施が可能である。
【００２４】
次に、上記の各フラップ７１〜７８による開口端の閉鎖について説明する。ここで、容器の左側における開口端は、上面部３１と左上面フラップ７１との間、前面部４１と左前面フラップ７３との間、下面部５１と左下面フラップ７５との間、後面部６１と左後面フラップ７７との間にそれぞれ存在する折り目線Ｌを縁辺とするものである。また、容器の右側における開口端は、上面部３１と右上面フラップ７２との間、前面部４１と右前面フラップ７４との間、下面部５１と右下面フラップ７６との間、後面部６１と右後面フラップ７８との間にそれぞれ存在する折り目線Ｌを縁辺とするものである。つまり、各フラップ７１〜７８は、開口端の縁辺に設けられたシート状体とも表現できる。
【００２５】
ここで、左下面フラップ７５及び右下面フラップ７６について説明する。なお、左下面フラップ７５は右下面フラップ７６と対称の関係にあるため、代表して右下面フラップ７６について説明する。右下面フラップ７６には、右前面フラップ７４と重なり合う部分である低位部７６ａと、そうでない部分である高位部７６ｂとが形成される。この低位部７６ａと高位部７６ｂとは、プレス加工により形成されたものであって、低位部７６ａと高位部７６ｂとの間には段差である迂回部７６ｃが存在する。
【００２６】
この迂回部７６ｃは、図１などに示すように、屈曲した線分として形成されたものであって、下面部５１と右下面フラップ７６との間における折り目線Ｌ（Ｌｃ）に対して直交する線分として右下面フラップ７６の表面に現れた第１部分７６ｃ１と、この第１部分７６ｃ１に連続するものであり、折り目線Ｌ（Ｌｃ）に平行な線分として右下面フラップ７６の表面に現れた第２部分７６ｃ２と、この第２部分７６ｃ２に連続するものであり、第１部分７６ｃ１と平行な線分として右下面フラップ７６の表面に現れた第３部分７６ｃ３とからなる。
【００２７】
上記の左下面フラップ７５及び右下面フラップ７６は、図２に示すように、容器側方の開口端の下部に位置するものであるが、これに対向するようにして、開口端の上部には、左上面フラップ７１及び右上面フラップ７２が設けられている。なお、左上面フラップ７１は右上面フラップ７２と対称の関係にあるため、代表して右上面フラップ７２について説明する。
【００２８】
右上面フラップ７２には、上記の右下面フラップ７６と同様、右前面フラップ７４と重なり合う部分である低位部７２ａと、そうでない部分である高位部７２ｂとが形成される。ただし、この右上面フラップ７２は、プレス加工により低位部７６ａと高位部７６ｂとが形成された、上記の右下面フラップ７６とは異なり、表面に右重ね合わせフラップ７２ｚが重ね合わされることにより、この各重ね合わせフラップ７２ｚが重ね合わされない部分が低位部７２ａとされ、重ね合わされた部分が高位部７２ｂとされている。この右重ね合わせフラップ７２ｚは、上被覆部１１に連続するように設けられたものであり、上面部３１に上被覆部１１が重ね合わされた際に、右上面フラップ７２の表面に重ね合わされるものである。右上面フラップ７２における迂回部７２ｃは、上記の右下面フラップ７６と同様、低位部７２ａと高位部７２ｂとの間の段差となるが、この場合、重ね合わせフラップ７２ｚの縁辺がこの段差を形成する。左上面フラップ７１についても同様であり、表面に左重ね合わせフラップ７１ｚが重ね合わされる。
【００２９】
この右上面フラップ７２に形成される迂回部７２ｃもまた、上記の右下面フラップ７６における迂回部７６ｃと同様、屈曲した線分として形成されたものであって、上面部３１あるいは上被覆部１１と右上面フラップ７２との間における折り目線Ｌ（Ｌａ）に対して直交する線分として右上面フラップ７２の表面に現れた第１部分７２ｃ１と、この第１部分７２ｃ１に連続するものであり、この折り目線Ｌに平行な線分として右下面フラップ７２の表面に現れた第２部分７２ｃ２と、この第２部分７２ｃ２に連続するものであり、第１部分７２ｃ１と平行な線分として右下面フラップ７２の表面に現れた第３部分７２ｃ３とからなる。
【００３０】
次に、上記の左下面フラップ７５及び右下面フラップ７６に対して重ね合わされる左前面フラップ７３及び右前面フラップ７４について説明する。なお、左前面フラップ７３は右前面フラップ７４と対称の関係にあるため、右前面フラップ７４について説明する。
この右前面フラップ７４のうち、折り目線Ｌ（Ｌｂ）に対向する縁辺が、重なり辺７４ａである。この重なり辺７４ａは、折り目線Ｌ（Ｌｂ）に対して平行であり、かつ、折り目線Ｌから相対的に近い位置にある第１辺７４ａ１、また、折り目線Ｌ（Ｌｂ）に対して平行であり、かつ、折り目線Ｌ（Ｌｂ）から相対的に遠い位置にある第３辺７４ａ３、また、第１辺７４ａ１、第３辺７４ａ３のそれぞれに対して直交するものであって、第１辺７４ａ１と第３辺７４ａ３とを連結する第２辺７４ａ２とを有する。本例では、この重なり辺７４ａのうち、第１辺７４ａ１と第２辺７４ａ２とによって、右前面フラップ７４の角部がともに切り欠かれた形態とされている。
【００３１】
この重なり辺７４ａは、右上面フラップ７２及び右下面フラップ７６に右前面フラップ７４が重ね合わされた際において、上記の右上面フラップ７２に形成された迂回部７２ｃと、上記の右下面フラップ７６に形成された迂回部７６ｃとのそれぞれに対して合致するものとされている。具体的には、重なり辺７４ａのうち第１辺７４ａ１と迂回部７２ｃ，７６ｃの第１部分７２ｃ１，７６ｃ１とが合致し、重なり辺７４ａのうち第２辺７４ａ２と迂回部７２ｃ，７６ｃの第２部分７２ｃ２，７６ｃ２とが合致し、重なり辺７４ａの第３辺７４ａ３の一部と迂回部７２ｃ，７６ｃの第３部分７２ｃ３，７６ｃ３とが合致する。
なお、上記の「合致」とは、重なり辺７４ａと迂回部７２ｃ，７６ｃとの間に隙間が保たれたものであっても良いし、隙間なく密着したものであっても良い。ただし、この密着した状態を超え、右前面フラップ７４が右上面フラップ７２あるいは右下面フラップ７６の高位部７２ｂ，７６ｂに乗り上げてしまうことは、被収納物の漏れが発生する恐れがあって好ましくない。
【００３２】
ここで、上記で説明したことを図２〜図４と共に示す。まず、容器側方の開口端の上方及び下方に、折り目線Ｌ（Ｌａ，Ｌｃ）から、右上面フラップ７２及び右下面フラップ７６が開口端を覆うように折り込まれて、図２に示された状態とされる。そして、この状態にある右上面フラップ７２及び右下面フラップ７６のそれぞれ一部を覆うようにして、同じく折り目線Ｌ（Ｌｂ）から、右前面フラップ７４が折り込まれて図３に示すような状態とされる。この状態では、開口端はまだ完全には閉鎖されていない。そして最後に、右上面フラップ７２、右下面フラップ７６、右前面フラップ７４のそれぞれの一部を覆うように、同じく折り目線Ｌ（Ｌｄ）から、右後面フラップ７８が折り込まれて閉鎖され、図４に示すような状態とされる。
【００３３】
このようにして、各フラップ７２，７４，７６，７８が重ねられて開口端が閉鎖された場合において、右上面フラップ７２及び右下面フラップ７６の迂回部７２ｃ，７６ｃと右前面フラップ７４の重なり辺７４ａとの間であり、かつ、右上面フラップ７２及び右下面フラップ７６と右後面フラップ７８との間にわずかな隙間が発生する場合がある。
従来の容器の構造を図５（Ｂ）に例示する。この場合では、右上面フラップ７２及び右下面フラップ７６の表面は平坦であり、しかも、右前面フラップ７４の重なり辺７４ａは直線状の辺として形成されていたため、上記の隙間（図上ハッチングを付した部分）を通じて、粉末状の被収納物が容器の外部に漏れ出る可能性があった。
これに対し、本願発明に係る開口端の閉鎖構造においては、例えば図５（Ａ）に示すように、迂回部７２ｃ，７６ｃのうちの第２部分７２ｃ２，７６ｃ２及び重なり辺７４ａの第２辺７４ａ２の存在により、隙間が屈曲した屈曲部Ｃが形成される。そのため、図５（Ａ）に示した状態において、被収納物は、下方側に存在する迂回部７６ｃのうちの第３部分７６ｃ３と、重なり辺７４ａの第３辺７４ａ３のうち下方側のものとの間には入り込むが、屈曲部Ｃ及び、迂回部７６ｃの第２部分７６ｃ２と重なり辺７４ａの第２辺７４ａ２で堰き止められるために、容器の外部に漏れ出さないようにできる。
【００３４】
ここで、本願発明においては、左下面フラップ７５及び右下面フラップ７６における迂回部７５ｃ，７６ｃがプレス加工によるものであって、左上面フラップ７１及び右上面フラップ７２における迂回部７１ｃ，７２ｃが、重ね合わせフラップ７１ｚ，７２ｚの重ね合わせによるものであることから、比較的簡易な手段で、被収納物の漏れを防止できるという利点を有するものである。
【００３５】
また、本例においては、右前面フラップ７４の角部を切り欠くことで、重なり辺７４ａに、第１辺７４ａ１、第２辺７４ａ２、第３辺７４ａ３を形成したものとし、右前面フラップ７４が重ね合わされる右上面フラップ７２や右下面フラップ７６には、上記の重なり辺７４ａと合致する迂回部７２ｃ，７６ｃが形成されたものであるが、これら重なり辺７４ａや迂回部７２ｃ，７６ｃの形状は、本例のものに限定されたものではなく、屈曲あるいは湾曲する線分として現れたものであれば良い。右前面フラップ７４の角部についての他の形状を例示すると、角部を円形に切り欠いたもの（図６（Ａ）参照）、端辺に四角形状の切り込みを形成したもの（図６（Ｂ）参照）、端辺に三角形状の切り込みを形成したもの（図６（Ｃ）参照）、端辺に半円形状の切り込みを形成したもの（図６（Ｄ）参照）、直線状の辺が繰り返し形成されたもの（図６（Ｅ）参照）、湾曲した辺が波線状に繰り返し形成されたもの（図６（Ｆ）参照）があげられる。左前面フラップ７３、左上面フラップ７１や左下面フラップ７５についても上記と同様である。
【００３６】
次に、容器のその他の部分について説明する。図１に示すように、上面部３１と前面部４１には、開口部を形成するための分離線が形成される。この分離線は、ミシン目などの断続線、紙の表裏に貫かれた切り目など分離できるものであればよいが、この例ではハーフカットが採用されている。より詳しくは、第１カット８１と第２カット８２とが平行に形成されており、第１カット８１が開口部の周縁を規定するもので、第２カット８２が第１カット８１の外側に形成されている。第１カット８１は容器の内側から紙の中間部分までの深さに形成されたもので、第２カット８２は容器の外側から紙の中間部分までの深さに形成されている。第１カット８１と第２カット８２とは、開口部を明ける際に、紙の中間部分で紙の層間剥離によって繋がることにより、開口されるもので、開口した際には、図９に示すように、層間剥離部分８３が開口部の周縁に形成されることとなる。このハーフカットを採用することによって、容器の紙の表裏に貫かれた部分を設けることなく分離が可能となるため、密閉性の向上と開口の容易性とを両立させることができる。なお、この例では、開口部は、上面部３１と、上面部３１に連設された前面部４１に形成されるものであるが、前面部４１には形成せずに上面部３１にのみ形成するようにしてもよい。
このように、第１カット８１及び第２カット８２によって規定された部分が、上面部３１に形成される本体上分離部８４と、前面部４１に形成される本体前分離部８５であり、両者を併せて本体分離部８６と呼ぶ。この本体分離部８６が開口部を開閉することとなる。
なお、第１カット８１、第２カット８２は直線のものを示したが、これに限らず、図１２に示すように、第１カット８１を波線にすることによって、第１カット８１の端部で人が手を切ると言った恐怖感を少なくすることができる。このように、第１カット８１や第２カット８２の具体的形状は、適宜変更し得る。
【００３７】
上面部３１と前面部４１の表面に重ねられて接着される被覆部１０ｂについても、図１に示すように、開口部と対応するようにして分離線９１が形成される。この分離線９１は、図４に示すように、被覆部１０ｂが容器本体部の表面側に重ねられた際に、容器本体部の分離線（第１カット８１及び第２カット８２）の一回り外側に位置するように形成されたもので、ミシン目などの断続線が適当であるが、分離できることを条件に適宜変更し得る。この分離線９１によって、被覆部１０ｂ（上被覆部１１及び前被覆部２１）が、残存部９２と分離部９３とに区画される。詳しくは、上被覆部１１が上被覆残存部１２と上被覆分離部１３とに区画され、前被覆部２１が前被覆残存部２２と前被覆分離部２３とに区画される。上被覆残存部１２と前被覆残存部２２とは折り目線を介して連続しており、上被覆分離部１３と前被覆分離部２３とは折り目線を介して連続している。
【００３８】
しかして、これらの容器本体部の分離線（第１カット８１及び第２カット８２）と分離線９１とによって、開口部を開閉する蓋体１００が形成されることとなる。この蓋体１００は、本体分離部８６と分離部９３とを接着したものであり、その基端は、後面部６１と被覆部１０ｂ（上被覆部１１）との間のヒンジ用折り目線９４によって、容器と回動可能に連設されることとなる。このヒンジ用折り目線９４は、容器全体で言えば、上面と後面との間の折り目線となるが、これに限らず、他の位置にヒンジ用折り目線９４を設けても良い。
【００３９】
分離部９３には、その先端に先端折り目線９８を介して折り曲げ片９５が設けられている。なお、分離部９３のうち、この折り曲げ片９５を除いた部分を分離部本体と称する。この折り曲げ片９５は、図９に示すように、先端折り目線９８から二つ折りにされて、分離部９３の本体と重ねられるものである。そして、その幅が、重ねられる分離部９３の本体より大きく形成されている。この折り曲げ片９５が重ねられる分離部９３の本体部分を幅狭部９７と呼ぶ。このように、二つ折りにされた状態で、幅狭部９７より折り曲げ片９５の方が大きいため、折り曲げ片９５の一部が幅狭部９７よりはみ出すこととなり、このはみ出す部分が係止部分９６となる。この例では、左右対称に形成され、折り曲げ片９５の両端に係止部分９６がそれぞれ形成される。
なお、本例の容器においては、図１に実線で示したように、前被覆部２１の図示下端と折り曲げ片９５の図示下端とが一致したものとされているが、これに限られず、図１において破線で示したように、前被覆部２１が延長部２１ａの分、図示下方に延長されたものとされ、前被覆部２１の図示下端よりも折り曲げ片９５の図示下端の方が上方に位置するものであっても良い。
【００４０】
ヒンジ用折り目線９４と先端折り目線９８との間には、中間折り目線９９が形成されており、また、本体分離部８６における本体上分離部８４と本体前分離部８５との間にも中間折り目線８７が形成される結果、蓋体１００は、その中間で折り曲がることができ、この中間折り目線８７及び中間折り目線９９が容器全体の上面と前面との間の折り目線となる。
【００４１】
なお、本体上分離部８４と上被覆分離部１３とは重ねられて接着されるが、第２カット８２と分離線９１との間の部分は接着されない。また、本体前分離部８５と前被覆分離部２３は重ねられて接着されるが、第２カット８２と分離線９１との間の部分は接着されない。また、残存部９２（上被覆残存部１２と前被覆残存部２２）は、容器本体部、即ち、上面部３１及び前面部４１に接着される。前被覆分離部２３は、本体前分離部８５と接着されるが、本体前分離部８５以外の前面部４１とは接着されない。
【００４２】
以上のように構成されたこの実施の形態の容器は、夫々の折り目線が折られて各部が必要に応じて糊付けされることによって、図４に示す容器が完成される。
【００４３】
この容器を開封するに際しては、図７に示すように、前面部４１に接着されていない折り曲げ片９５に指を差し込んで、引き上げることにより、分離線９１が破れて、分離部９３と、これに接着された本体分離部８６とが、分離線９１、第１カット８１及び第２カット８２に沿って開く。これにより、蓋体１００が形成され、この蓋体１００はヒンジ用折り目線９４を中心として回動して開閉するものとなる。この蓋体１００は、本体上分離部８４と上被覆分離部１３とが接着された上面蓋部と、本体前分離部８５と前被覆分離部２３とが接着された前面蓋部とを備えるものとなる。上面蓋部とこれに連続する前面蓋部の基端側は、開口部と同じ幅となり、前面蓋部の基端側にのみ前被覆分離部２３に本体前分離部８５が接着されるが、先端側にあっては、前被覆分離部２３のみとなっており、この先端側の部分に、前述の幅狭部９７、折り曲げ片９５が設けられる。この前被覆分離部２３の基端側の部分を広幅部１０３という。
【００４４】
なお、開封の際において、折り曲げ片９５に指を差し込みやすくするために、折り曲げ片９５に対して重なり合う前面部４１の表面に、図１に二点鎖線で、図９や図１５に破線で示した突起部４１ａを設けても良い。これにより、突起部４１ａと折り曲げ片９５とを当接させて、折り曲げ片９５と前面部４１との間に隙間を設けることができ、折り曲げ片９５に対して容易に指を差し込むことができる。この突起部４１ａの形成は、プレス加工によるものや、紙などの小片を貼り付けたものなど、種々の手段により実施し得る。
また、図１や図１５に破線で示したように、前被覆部２１に延長部２１ａを設け、その延長部２１ａに、同じく破線で図示したように、半円形状などの貫通穴からなる凹部４１ｂを設けても良い。この凹部４１ｂは、前面部４１に前被覆部２１が重ね合わされた際、前被覆部２１の表面から一段低くなるものであり、これにより、折り曲げ片９５に対して指を差し込みやすくできる。なお、この凹部４１ｂは、上記のような貫通穴の形態に限られるものではなく、前被覆部２１を層間剥離させたものとしても良い。また、前被覆部２１には延長部２１ａを設けず、前面部４１のうち指の触れる部分に凹部４１ｂを設けても良く、種々の形態で実施し得る。
【００４５】
次に、この蓋体１００を閉じる場合には、図８、図９に示すように、折り曲げ片９５を先端折り目線９８から折り返す。この折り返しは、折り曲げ片９５を幅狭部９７の表面側となるように行ってもよく、裏面側となるように行ってもよい。
ここで、図７に破線で示したように、前被覆分離部２３を貫通するスリット１０６を形成しておき、上記の折り曲げ片９５の折り返しの際に、図９に破線で示すように、折り曲げ片９５の一部（図９に示したものでは、折り返した状態における上端）をスリット１０６に挟み込み、折り曲げ片９５を折り返した形態のまま固定できるものとしても良い。
【００４６】
そして、この幅狭部９７からはみ出している係止部分９６を、前被覆残存部２２と前面部４１との間に差し込むことにより係止する（図１０）。ここで、前被覆残存部２２は図９に示すように、幅狭部９７の両側に当る部分は前面部４１と接着されておらず、この部分が挿入部１０１となる。（図９上の示した多数の点は、前被覆残存部２２と前面部前面部４１との接着箇所を示す）。この例では、係止部分９６が左右両側に設けられており、挿入部１０１もこれに応じて左右両側に設けられるが、係止部分９６、挿入部１０１を左右いずれか一方のみに設けるようにしてもよい。
【００４７】
図１１は、この係止の前（図１１（Ａ））と係止後（図１１（Ｂ））を示す断面図であり、係止後には、左右両側の係止部分９６は左右の挿入部１０１に挿入され、幅狭部９７は左右の前被覆残存部２２の間に位置することとなる。ここで、折り曲げ片９５は先端折り目線９８から折り曲げられて幅狭部９７に重ねられているため、幅狭部９７と折り曲げ片９５には開き方向の紙の弾性が加わり、その弾性によって、単なる挿入以上の確実な係止が実現する。しかも、前面部４１には切欠きや切欠孔を設ける必要がなく、容器本体部である前面部４１の密閉性が確保され、容器本体部を構成する１枚のシートと、被覆部１０ｂのシートとの２枚重ね構造のみで、蓋体の形成と蓋体の係止構造とを実現できる。なお、容器本体部の強度など他の観点から３枚以上のシートを重ねるようにして実施してもよい。
【００４８】
ここで、上記で説明した、折り曲げ片９５に対する突起部４１ａと同様に、図１に二点鎖線で、図１５に破線で示したように、前被覆残存部２２に対して重なり合う前面部４１の表面に、突起部４１ｃを設けても良い。これにより、突起部４１ｃと前被覆残存部２２とを当接させて、挿入部１０１における前被覆残存部２２と前面部４１との間の空間を広げることができ、係止部分９６を挿入部１０１により容易に挿入することができる。
【００４９】
また、図１５に示した構造に加え、図１や図１６に示したように、前被覆分離部２３にミシン目やハーフカットなどの分離線によって囲まれた引掛片１０７が形成されたものとしても良い。この引掛片１０７は、周囲が前被覆分離部２３に囲まれたものであって、前面部４１に接着されている。これにより、開封時に分離部９３が残存部９２から分離された際に、図１８に示すように、この引掛片１０７が前面部４１に残存する。
上記のように開封後に前面部４１に残存した引掛片１０７は、折り曲げ片９５を先端折り目線９８から折り返し、図１７（Ａ）に示すように閉蓋状態とされた際において、図１７（Ｂ）に示すように、折り曲げ片９５の端面９５ａと引掛片１０７の下端面１０７ａとが係合可能とされたものである。この例においては、閉蓋状態において、折り曲げ片９５の端面９５ａと引掛片１０７の下端面１０７ａとが、図１７（Ｂ）に示すように当接するものとされているが、両端面９５ａ，１０７ａが移動することにより当接可能な位置関係にあれば、閉蓋状態において離れていても良い。
【００５０】
このように、折り曲げ片９５と引掛片１０７とが係合可能とされた場合では、誤って分離部９３のみを持って容器を持ち上げてしまった場合でも、容器本体部に対して分離部９３が係止されているため、粉末洗剤などの被収納物をこぼしてしまう可能性を低減できる。
【００５１】
更に上記に加え、引掛片１０７の下方寄り部分に対して重なり合う前面部４１の表面に、表面側に突出する突起部４１ｄを設けたものとしても良い。この突起部４１ｄの存在により、図１７（Ｂ）に示すように、引掛片１０７の下端面１０７ａが手前側にせり出されたように配位されるため、上記の引掛片１０７の係止がより確実になされる。
【００５２】
引掛片１０７と折り曲げ片９５との係止状態を解除し、図１８に示すように開蓋するには、引掛片１０７を裏面側へと押し込み、その状態で分離部９３を上方へと開いてやれば良い。あるいは、折り曲げ片９５を手前側へと引き起こし、分離部９３を上方へと開いても良い。
ここで、上記後者のように、折り曲げ片９５を手前側へと引き起こすことにより係止状態を解除させる場合には、この引き起こし動作に伴い、前被覆残存部２２の挿入部１０１が手前側へと変形させられる。よってこの場合は、挿入部１０１が軽い力で変形可能なように、挿入部１０１に対し、折り曲げ片９５を上方に引き抜いて開蓋する方法をとる場合に比べ、係止部分９６を小さ目に形成しておくことが望ましい。また、この折り曲げ片９５の引き起こしが容易になされるように、例えば幅狭部９７の上端に折り目線を設けておいても良い。
【００５３】
なお、蓋体１００の係止構造は、適宜変更して実施することができ、図１３に示すように、分離部９３の適宜箇所に切り込み１０２を設け、これに対応して残存部９２にできる突起と係合するようにしてもよい。また、係止部分９６の大きさや形状も、図１３のように、比較的大きなものとしてもよい。
【００５４】
さらに、図１４に示すように、前被覆分離部２３の幅（より具体的には広幅部１０３の幅）を先端に向かうに従って大きくしてもよい。これによって、蓋をした場合には、前被覆残存部２２との関係で逆テーパｔ１となり、蓋体１００の係止がより向上し、この部分に設けられた切り込み１０２とで、より強固な固定が実現する。また幅狭部９７に逆テーパ部ｔ２を設けても良い。
【００５５】
さらに、先の例では、容器の２つの面に渡って（上面と前面とに）蓋体１００を設けたが、図１９に示すように、容器の１つの面にのみ蓋体１００を設けることも可能である。この場合、蓋体１００は、実線で図示したように、ヒンジ用折り目線９４に対して、垂直方向に切り取られるようにしても良いし、一点鎖線で図示したように、斜め方向に切り取られるようにしても良い。
また、この場合では、挿入が容易なように、谷折り目線１０４と山折り目線１０５とを設けておくことが望ましい。また図示は省略するが、残存部９２に切り込みや孔を設けて、この切り込みなどに係止部分９６を挿入するようにしてもよい。
【００５６】
また、上記に説明した例では、上面部３１に対して被覆部１０ｂが重ね合わされるものであったが、それ以外に、上面部３１を省略し、上被覆部１１のみで容器の上面を構成するものとしても良い。具体的には、図２０に示すように、上被覆部１１に左上面フラップ７１と右上面フラップ７２とが延設されたものである。また、第１カット８１と第２カット８２及び各カット８１，８２によって規定された部分である本体分離部８６は、前面部４１にのみ形成される。また、この場合においては、開口部を形成するための分離線は上被覆部１１に形成される。この分離線の構成は先の例における第１カット８１と第２カット８２と同じであって、この例では、分離線９１が先の例における第１カット８１に相当し、内側カット９１ａが同第２カット８２に相当する。よって、容器とされた状態においては、上被覆部１１の分離線９１と内側カット９１ａとの間、そして、前面部４１の第１カット８１と第２カット８２との間がそれぞれ層間剥離する。なお、先の例における分離線９１は、容器本体部の分離線（第１カット８１及び第２カット８２）の一回り外側に形成されたものであるが、この例では、前面部４１に形成された第２カット８２と分離線９１とは重なる位置に形成されている。
【図面の簡単な説明】
【００５７】
【図１】本願発明の第１の実施の形態に係る紙製容器の展開図である。
【図２】同紙製容器の、開口端が閉鎖される様子を順を追って示した斜視図のうち、右上面フラップと右下面フラップとが折り込まれた状態を示す。
【図３】同紙製容器の、開口端が閉鎖される様子を順を追って示した斜視図のうち、右上面フラップと右下面フラップとが折り込まれ、更に右前面フラップが折り込まれた状態を示す。
【図４】同紙製容器の開口端が閉鎖された状態の斜視図である。
【図５】（Ａ）は同紙製容器における、右下面フラップの迂回部及び右前面フラップの重なり辺を示す要部拡大図である。（Ｂ）は従来の容器における、（Ａ）に相当する部分を示す要部拡大図である。
【図６】（Ａ）〜（Ｆ）共、右前面フラップの角部についての他の形状を例示した説明図である。
【図７】同紙製容器の開蓋状態の斜視図である。
【図８】同紙製容器の蓋体の係止過程を示す斜視図である。
【図９】図８の要部拡大図である。
【図１０】同紙製容器の閉蓋状態の斜視図である。
【図１１】図１０の VII−VII 線に沿う断面を示すもので（Ａ）は開蓋時の断面図、（Ｂ）は閉蓋時の断面図である。
【図１２】同紙製容器の変更例を示す要部拡大図である。
【図１３】同紙製容器の他の変更例を示す要部拡大図である。
【図１４】同紙製容器のさらに他の変更例を示す要部拡大図である。
【図１５】同紙製容器のさらに他の変更例を示す要部拡大図である。
【図１６】同紙製容器のさらに他の変更例を示す要部拡大図である。
【図１７】（Ａ）は図１６に示した紙製容器の閉蓋状態の斜視図であり、（Ｂ）は（Ａ）のVIII−VIII 線に沿う断面を示す断面図である。
【図１８】図１６に示した紙製容器の開蓋状態の斜視図である。
【図１９】本願発明の第２の実施の形態に係る紙製容器の展開図である。
【図２０】本願発明の第３の実施の形態に係る紙製容器の展開図である。
【符号の説明】
【００５８】
１０ａ    容器本体部
１０ｂ    被覆部
１０ｃ    側面部
７１      内側フラップ、左上面フラップ
７１ａ    左上面フラップの低位部
７１ｂ    左上面フラップの高位部
７１ｃ    左上面フラップの迂回部
７１ｃ１  左上面フラップの迂回部の第１部分
７１ｃ２  左上面フラップの迂回部の第２部分
７１ｃ３  左上面フラップの迂回部の第３部分
７１ｚ    左重ね合わせフラップ
７２      内側フラップ、右上面フラップ
７２ａ    右上面フラップの低位部
７２ｂ    右上面フラップの高位部
７２ｃ    右上面フラップの迂回部
７２ｃ１  右上面フラップの迂回部の第１部分
７２ｃ２  右上面フラップの迂回部の第２部分
７２ｃ３  右上面フラップの迂回部の第３部分
７２ｚ    右重ね合わせフラップ
７３      外側フラップ、左前面フラップ
７３ａ    左前面フラップの重なり辺
７４      外側フラップ、右前面フラップ
７４ａ    右前面フラップの重なり辺
７５      内側フラップ、左下面フラップ
７５ａ    左下面フラップの低位部
７５ｂ    左下面フラップの高位部
７５ｃ    左下面フラップの迂回部
７５ｃ１  左下面フラップの迂回部の第１部分
７５ｃ２  左下面フラップの迂回部の第２部分
７５ｃ３  左下面フラップの迂回部の第３部分
７６      内側フラップ、右下面フラップ
７６ａ    右下面フラップの低位部
７６ｂ    右下面フラップの高位部
７６ｃ    右下面フラップの迂回部
７６ｃ１  右下面フラップの迂回部の第１部分
７６ｃ２  右下面フラップの迂回部の第２部分
７６ｃ３  右下面フラップの迂回部の第３部分
７７      最外側フラップ、左後面フラップ
７８      最外側フラップ、右後面フラップ
９２      残存部
９３      分離部
９５      折り曲げ片
９６      係止部分
９８      折り目線
Ｌ，Ｌａ〜Ｌｄ    開口端の縁辺、折り目線
【図１】
2007062827.tif 000003
【図２】
2007062827.tif 000004
【図３】
2007062827.tif 000005
【図４】
2007062827.tif 000006
【図５】
2007062827.tif 000007
【図６】
2007062827.tif 000008
【図７】
2007062827.tif 000009
【図８】
2007062827.tif 000010
【図９】
2007062827.tif 000011
【図１０】
2007062827.tif 000012
【図１１】
2007062827.tif 000013
【図１２】
2007062827.tif 000014
【図１３】
2007062827.tif 000015
【図１４】
2007062827.tif 000016
【図１５】
2007062827.tif 000017
【図１６】
2007062827.tif 000018
【図１７】
2007062827.tif 000019
【図１８】
2007062827.tif 000020
【図１９】
2007062827.tif 000021
【図２０】
2007062827.tif 000022